(57)【要約】【課題】ウエストバンドの外側縁が身体に当たることによる不快感を抑制しつつウエストバンドのフィット性を向上できる使い捨ておむつを提供する。【解決手段】使い捨ておむつ(10)は、吸収性本体(11)と、後胴回り域において肌面側シートよりも肌面側に位置し、かつ幅方向に伸縮するバンド伸縮領域(R80)を有するウエストバンド(80)と、吸収性本体に接合された接合領域(75)、フラップ伸縮領域(76)及び係止部(73)を有するフラップ部と、を有する。ウエストバンドは、肌面側シートに接合された第１基端部(87)及び第２基端部(84)と、第１基端部(87)及び第２基端部(84)よりも前側の折り目(FL)において後側に折り返された起立部(85)と、を有している。フラップ部の少なくとも一部は、肌面側シートとウエストバンドの間に配置されている。ウエストバンドの外側縁は、接合領域と重なる領域に配置されている。【選択図】図１
2020089672.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コア及び前記吸収コアよりも肌面側に位置する肌面側シートを有する吸収性本体と、
前記後胴回り域において前記肌面側シートよりも肌面側に位置し、かつ前記幅方向に伸縮するバンド伸縮領域を有するウエストバンドと、
前記吸収性本体に接合された接合領域、前記接合領域よりも前記幅方向の外側において前記幅方向に伸縮するフラップ伸縮領域、及び前記前胴回り域に止着する係止部を有するフラップ部と、を有する使い捨ておむつであって、
前記ウエストバンドは、前記肌面側シートに接合された基端部と、前記基端部よりも前側の折り目において後側に折り返され、かつ起立可能に構成された起立部と、を有しており、
前記フラップ部の少なくとも一部は、前記肌面側シートと前記ウエストバンドの間に配置されており、
前記ウエストバンドの外側縁は、前記接合領域と重なる領域に配置されている、使い捨ておむつ。
【請求項２】
前記接合領域には、熱溶着による溶着部が形成されており、
前記ウエストバンドは、前記溶着部と重ならない領域に配置されている、請求項１に記載の使い捨ておむつ。
【請求項３】
前記バンド伸縮領域の伸長応力は、前記フラップ伸縮領域の伸長応力よりも低い、請求項１又は請求項２に記載の使い捨ておむつ。
【請求項４】
前記バンド伸縮領域は、前記フラップ部と重ならない領域に配置されている、請求項１から請求項３のいずれか１項に記載の使い捨ておむつ。
【請求項５】
前記バンド伸縮領域は、前記フラップ部と重なる領域に配置されている、請求項１から請求項３のいずれか１項に記載の使い捨ておむつ。
【請求項６】
前記ウエストバンドの後端縁は、前記フラップ伸縮領域の後端縁よりも前側に位置し、
前記ウエストバンドの前端縁は、前記フラップ伸縮領域の前端縁よりも後側に位置する、請求項１から請求項５のいずれか１項に記載の使い捨ておむつ。
【請求項７】
前記ウエストバンドの外側縁には、前記幅方向の外側に突出する凸部と、前記凸部よりも前記幅方向に凹む凹部と、が前記前後方向に交互に配置されている、請求項１から請求項６のいずれか１項に記載の使い捨ておむつ。
【発明の詳細な説明】
【技術分野】
【０００１】
本発明は、ウエストバンドを有する使い捨ておむつに関する。
【背景技術】
【０００２】
後胴回り域にウエストバンドを配置した使い捨ておむつが知られている（例えば、特許文献１参照）。特許文献１の使い捨ておむつは、吸収コア及び吸収コアよりも肌面側に位置する肌面側シートを有する吸収性本体と、吸収性本体に接合された接合領域を有するフラップ部と、を有する。フラップ部は、接合領域よりも幅方向の外側において幅方向に伸縮するフラップ伸縮領域と、前胴回り域に止着する係止部と、を有する。
【先行技術文献】
【特許文献】
【０００３】
【特許文献１】米国特許公開公報２０１８／０５５６９８号
【発明の概要】
【発明が解決しようとする課題】
【０００４】
このように構成された使い捨ておむつを装着する際に、装着補助者は、フラップ部を幅方向の外側に引っ張り、フラップ部を伸長させた状態で、着用者の腰周りにフィットさせる。このとき、フラップ部とウエストバンドが離間しているため、ファスニングテープを引っ張った際、フラップ部の伸長に連動してウエストバンドが伸長し難いことがあった。
【０００５】
また、フラップ部とウエストバンドを連動させやすくするために、フラップ部とウエストバンドを近づけて配置したり、フラップ部とウエストバンドを重ねて配置したりすることが考えられる。しかし、フラップ部の伸縮に伴ってウエストバンドが身体に密着すると、ウエストバンドの外側縁が身体に当たり、不快感が生じるおそれがあった。
【０００６】
よって、ウエストバンドの外側縁が身体に当たることによる不快感を抑制しつつウエストバンドのフィット性を向上できる使い捨ておむつが望まれる。
【課題を解決するための手段】
【０００７】
一態様に係る使い捨ておむつは、互いに直交する前後方向及び幅方向と、前胴回り域、後胴回り域、及び前記前胴回り域及び前記後胴回り域との間に配置された股下域と、吸収コア及び前記吸収コアよりも肌面側に位置する肌面側シートを有する吸収性本体と、前記後胴回り域において前記肌面側シートよりも肌面側に位置し、かつ前記幅方向に伸縮するバンド伸縮領域を有するウエストバンドと、前記吸収性本体に接合された接合領域、前記接合領域よりも前記幅方向の外側において前記幅方向に伸縮するフラップ伸縮領域及び前記前胴回り域に止着する係止部を有するフラップ部と、を有する使い捨ておむつであって、前記ウエストバンドは、前記肌面側シートに接合された基端部と、前記基端部よりも前側の折り目において後側に折り返され、かつ起立可能に構成された起立部と、を有しており、前記フラップ部の少なくとも一部は、前記肌面側シートと前記ウエストバンドの間に配置されており、前記ウエストバンドの外側縁は、前記接合領域と重なる領域に配置されている。
【図面の簡単な説明】
【０００８】
【図１】図１は、第１実施形態に係る使い捨ておむつを肌面側から見た模式平面図である。
【図２】図２は、図１に示す２Ａ−２Ａ線に沿った模式断面図である。
【図３】図３は、伸長状態における図１に示す３Ａ−３Ａ線に沿った断面における着用状態を模式的に示した図である。
【図４】図４は、図３を基準とした断面における着用状態を模式的に示した図である。
【図５】図５は、装着時のフラップ部及びウエストバンドの変形態様を模式的に示した図である。
【図６】図６は、第２実施形態に係る使い捨ておむつを肌面側から見た模式平面図である。
【発明を実施するための形態】
【０００９】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、吸収コア及び前記吸収コアよりも肌面側に位置する肌面側シートを有する吸収性本体と、前記後胴回り域において前記肌面側シートよりも肌面側に位置し、かつ前記幅方向に伸縮するバンド伸縮領域を有するウエストバンドと、前記吸収性本体に接合された接合領域、前記接合領域よりも前記幅方向の外側において前記幅方向に伸縮するフラップ伸縮領域及び前記前胴回り域に止着する係止部を有するフラップ部と、を有する使い捨ておむつであって、前記ウエストバンドは、前記肌面側シートに接合された基端部と、前記基端部よりも前側の折り目において後側に折り返され、かつ起立可能に構成された起立部と、を有しており、前記フラップ部の少なくとも一部は、前記肌面側シートと前記ウエストバンドの間に配置されており、前記ウエストバンドの外側縁は、前記接合領域と重なる領域に配置されている。
【００１０】
本態様によれば、装着時に装着補助者がフラップ部を引っ張ると、フラップ伸縮領域が幅方向に伸長する。このとき、フラップ伸縮領域の伸長に伴ってウエストバンドも幅方向に引っ張られ、バンド伸縮領域も伸長し、身体に対するフィット性が向上する。また、使い捨ておむつの装着時に、フラップ伸縮領域は、伸長して着用者側に引き上がり、フラップ部の接合領域は、吸収性本体等に接合されているため、伸長し難く、着用者側に引き上がり難い。ウエストバンドの外側縁は、接合領域と重なる領域に配置されているため、フラップ部が伸長した状態で、着用者側に押し当てられにくく、ウエストバンドの外側縁が身体に当たることによる不快感を抑制できる。よって、ウエストバンドの外側縁が身体に当たることによる不快感を抑制しつつウエストバンドのフィット性を向上できる使い捨ておむつを提供できる。
【００１１】
好ましい一態様によれば、前記接合領域には、熱溶着による溶着部が形成されており、前記ウエストバンドは、前記溶着部と重ならない領域に配置されてよい。
【００１２】
本態様によれば、ウエストバンドが溶着部と重ならない領域に配置されているため、溶着部によって接合領域が硬くなったとしても、ウエストバンドの違和感を抑制できる。
【００１３】
好ましい一態様によれば、前記バンド伸縮領域の伸長応力は、前記フラップ伸縮領域の伸長応力よりも低くてよい。
【００１４】
本態様によれば、装着補助者がフラップ部を引っ張った際に、ウエストバンドは、伸長し易く、身体に対してフィットし易い。また、フラップ部は、ウエストバンドよりも伸長し難く、着用者の脇に対して過剰な圧力がかかることを防ぐことができる。ウエストバンドの外側縁は、着用者の脇に対応する領域に位置しており、ウエストバンドの外側縁が身体に当たることの不快感をより抑制できる。
【００１５】
好ましい一態様によれば、前記バンド伸縮領域は、前記フラップ部と重ならない領域に配置されてよい。
【００１６】
本態様によれば、フラップ部に重なる領域にバンド伸縮領域が配置されていないため、バンド伸縮領域によって硬くなった部分がフラップ部によって身体に押し当てられることを抑制できる。また、バンド伸縮領域に配置される弾性部材の端縁が身体に当たりにくくなり、当該弾性部材の端縁の硬さによる不快感を抑制できる。
【００１７】
好ましい一態様によれば、前記バンド伸縮領域は、前記フラップ部と重なる領域に配置されてよい。
【００１８】
本態様によれば、フラップ部を引っ張った際に、バンド伸縮領域が伸長し易く、ウエストバンドの身体に対するフィット性を向上できる。
【００１９】
好ましい一態様によれば、前記ウエストバンドの後端縁は、前記フラップ伸縮領域の後端縁よりも前側に位置し、前記ウエストバンドの前端縁は、前記フラップ伸縮領域の前端縁よりも後側に位置してよい。
【００２０】
本態様によれば、フラップ伸縮領域の前後方向の範囲内にウエストバンドが配置されている。よって、フラップ部を引っ張った際に、フラップ伸縮領域を介してウエストバンドの前後方向の全域に幅方向に引っ張る力をかけやすい。よって、少ない力であっても、ウエストバンドとフラップ部を伸長させ、身体にフィットさせやすくなる。
【００２１】
好ましい一態様によれば、前記ウエストバンドの外側縁には、前記幅方向の外側に突出する凸部と、前記凸部よりも幅方向に凹む凹部と、が前記前後方向に交互に配置されてよい。
【００２２】
本態様によれば、ウエストバンドの外側縁が直線状に形成されず、ウエストバンドの外側縁が身体に当たった際の接触面積を低減でき、ウエストバンドの外側縁が身体に当たることによる不快感をより抑制できる。
【００２３】
（２）使い捨ておむつの全体概略構成
以下、図面を参照して、第１実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２４】
使い捨ておむつは、テープ型の使い捨ておむつである。図１は、実施形態に係る使い捨ておむつ１０の肌面側から見た模式平面図である。図２は、図１に示す使い捨ておむつの２Ａ−２Ａ断面に沿った模式断面図である。図１及び図２は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図３は、伸長状態における図１に示す３Ａ−３Ａ線に沿った模式断面図である。図４は、図３を基準とした断面における着用状態を模式的に示した図である。図４に示すＢＬは、着用者の身体のラインを示している。なお、図２及び図３に示す模式断面図では、説明の便宜上、各部材を厚さ方向Ｔにおいて離間して示しているが、実際の製品においては厚さ方向Ｔに接している。
【００２５】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側Ｔ１と反対側の非肌面側Ｔ２と、に延びる。
【００２６】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体が載せられる領域を含む。股下域Ｓ３は、着用者の股下に位置し、前胴回り域Ｓ１と後胴回り域Ｓ２との間に配置された領域である。股下域Ｓ３は、吸収コア３１の括れ部３１Ｃが設けられた領域であってもよいし、着用者の脚回りに配置される脚回り開口部が設けられた領域であってもよい。吸収コアの括れ部及び脚回り開口部を有しない使い捨ておむつにあっては、吸収コア又は使い捨ておむつを前後方向において三等分した領域のうち、中央の領域であってよい。なお、吸収コアの括れ部３１Ｃは、吸収コア３１の外側縁３１Ｅから幅方向の内側に凹む部分であり、脚回り開口部は、使い捨ておむつの外側縁から幅方向の内側に凹む部分である。
【００２７】
使い捨ておむつ１０は、吸収性本体１１と、ウエストバンド８０と、フラップ部７０と、を有する。吸収性本体１１は、吸収コア３１と、肌面側シート２０と、を少なくとも含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、テッシュ又はＳＭＳ不織布によって構成され、吸収コア３１の肌面側Ｔ１と吸収コア３１の非肌面側Ｔ２に配置されてよい。
【００２８】
図２及び図３に示すように、吸収性本体１１は、吸収コア３１よりも肌面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌面側Ｔ１に位置するシートである。表面シート２１は、吸収コア３１の幅方向Ｗの中心を跨いで配置されてよい。サイドシート２２は、表面シート２１の両外側部を覆うように配置されてよい。表面シート２１及びサイドシート２２は、例えば不織布や開孔プラスチックフィルムのような透液性シートによって構成されていてよい。
【００２９】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００３０】
使い捨ておむつ１０の吸収性本体１１は、吸収コア３１よりも非肌面側Ｔ２に位置する非肌面側シート２５を有する。非肌面側シート２５は、吸収コア３１を覆い、かつ使い捨ておむつの全体に亘って配置されている。なお、コアラップを有する使い捨ておむつにあっては、非肌面側シート２５は、コアラップよりも非肌面側Ｔ２に位置するシートである。
【００３１】
フラップ部７０は、後胴回り域Ｓ２において吸収性本体１１の外側縁から幅方向の外側に延出している。フラップ部は、１枚又は２枚のシート材からなるベース部７２と、ベース部７２に接合された係止部７３と、を少なくとも有する。ベース部７２の少なくとも一部は、肌面側シート２０の肌面側Ｔ１に接合され、かつ肌面側シート２０から幅方向Ｗの外側に延出する。係止部７３は、ベース部７２上に設けられ、ターゲット部９５（図１参照）に着脱可能に止着される。フラップ部７０は、後胴回り域Ｓ２において幅方向Ｗに沿って延び、ターゲット部９５に係止部７３が止着されることにより、使い捨ておむつ１０を着用者の身体に保持する。ターゲット部９５は、前胴回り域Ｓ１に配置されており、係止部７３がそれぞれ止着するように構成されている。係止部７３は、ベース部７２を構成するシート材自体に接合されていてもよいし、ベース部７２から幅方向の外側に延出する別体のシート上に接合されていてもよい。
【００３２】
フラップ部７０は、接合領域７５と、フラップ伸縮領域７６と、を有する。図１において、接合領域７５とフラップ伸縮領域７６のそれぞれに異なる斜線を付して示す。接合領域７５は、吸収性本体１１に接合された領域である。本実施の形態の接合領域は、フラップ部７０と肌面側シート２０が接着剤によって接合された領域である。接合領域７５は、平面視にて吸収性本体１１とフラップ部７０とが重なる領域のうち、互いに接合された領域であり、互いに接合されていない領域を含まないものである。接合領域７５は、当該領域内が全面に亘って接合されていなくてもよく、当該領域内に僅か（例えば、領域の５％以内）に接合されていない部分を含んでいてもよい。図２に示すように、接合領域７５の外側縁７５Ｅは、ウエストバンド８０の外側縁８０Ｅよりも幅方向Ｗの外側に位置してよい。接合領域７５の少なくとも一部は、平面視にて、ウエストバンド８０の第１基端部８７に重なっていてよい。
【００３３】
フラップ伸縮領域７６は、接合領域７５よりも幅方向Ｗの外側において幅方向Ｗに伸縮する領域である。よって、フラップ伸縮領域７６は、接合領域７５において伸縮する領域を含まない。フラップ伸縮領域７６は、ベース部７２を構成するシート材自体が伸縮する領域であってもよいし、シート材間に配置された糸ゴム等の弾性部材が伸縮する領域であってもよい。なお、ベース部７２全体が伸縮する構成にあっては、ベース部７２のうち接合領域７５よりも幅方向の外側の領域が、フラップ伸縮領域７６を構成する。フラップ伸縮領域７６の外側縁は、フラップ部７０の外側縁に一致していてもいいし、係止部７３の内側縁７３Ｉに一致していてもよい。フラップ伸縮領域７６の内側縁は、接合領域７５の外側縁である。
【００３４】
使い捨ておむつ１０は、後胴回り域Ｓ２において肌面側シート２０の肌面側Ｔ１に配置されたウエストバンド８０を有する。ウエストバンド８０は、幅方向に伸縮可能に構成されており、着用時に肌面側シート２０から浮き上がり、排泄物を収容する第１ポケットＰ１を形成する。第１ポケットＰ１は、ウエスト開口６６側に移動する排泄物を収容し、本発明のポケットを構成する。ウエストバンド８０の構成については、後述にて詳細に説明する。ウエスト開口６６は、使い捨ておむつの後端縁１０Ｒと前端縁１０Ｆによって構成され、係止部７３がターゲット部９５に止着した状態で腰回りを囲む部分である。
【００３５】
（３）ウエストバンドの構成
次いで、ウエストバンド８０の構成について詳細に説明する。図２及び図３に示すように、ウエストバンド８０は、シート材８１が折り返されて構成されてよい。シート材８１は、複数のシートが積層されてよい。ウエストバンド８０は、シート材８１に接合されたバンド弾性部材８２を有してよい。他の形態において、ウエストバンド８０は、バンド弾性部材８２を有さず、シート材８１自体が伸縮性を有していてよい。本実施形態のウエストバンド８０のシート材８１は、第１不織布層８１１と、第２不織布層８１２と、第１不織布層８１１と第２不織布層８１２の間に配置されたフィルム層８１３と、を含む。第１不織布層８１１と第２不織布層８１２は、同一の不織布によって構成され、ウエストバンド８０の折り返し部８６の頂点において折り返されている。第１不織布層８１１は、ウエストバンド８０において最も肌面側シート２０側に位置している。なお、他の形態において、ウエストバンド８０は、フィルム層８１３のみによって構成されていてもよいし、フィルム層８１３と第１不織布層８１１のみによって構成されていてよい。第１不織布層８１１と第２不織布層８１２は、異なる不織布によって構成されていてもよい。
【００３６】
バンド弾性部材８２は、糸状又は帯状の弾性部材によって構成され、幅方向Ｗに伸長した状態で、シート材８１に固定されている。本実施形態のバンド弾性部材８２は、第１不織布層８１１とフィルム層８１３との間に固定されている。バンド弾性部材８２は、前後方向Ｌに間隔を空けて複数配置されている。バンド弾性部材８２は、後述する対向部８３と折り返し部８６において、それぞれ複数配置されている。
【００３７】
ウエストバンド８０は、肌面側シート２０に対して起立可能に構成された起立部８５と、肌面側シート２０に接合された基端部と、を有する。基端部は、起立部８５の起立支点となる基端縁を有する。基端部は、ウエストバンド８０の外側部に位置する第１基端部８７と、ウエストバンド８０の後端部に位置する第２基端部８４と、を有する。第１基端部８７及び第２基端部８４は、肌面側シート２０に対向し、かつ肌面側シート２０に接合されている。
【００３８】
第１基端縁は、第１基端部８７と起立部８５の境界であり、起立部８５と幅方向Ｗに隣接する。第１基端縁は、第１基端部８７の内側縁８７Ｉ（図２参照）によって構成されている。第１基端部８７は、第１基端縁から幅方向Ｗの外側に延びる。第１基端部８７の外側縁８７Ｅは、ウエストバンド８０の外側縁８０Ｅの近傍に配置されてよく、ウエストバンド８０の外側縁８０Ｅに到達してよい。第２基端縁は、第２基端部８４と起立部８５の境界であり、起立部８５と前後方向に隣接する。第２基端縁は、第２基端部８４の前端縁８４Ｆ（図３参照）によって構成されている。第２基端部８４は、第２基端縁から後側に延びている。第２基端部８４の後端縁８４Ｒは、ウエストバンド８０の後端縁８０Ｒまで延びてよい。
【００３９】
ウエストバンド８０は、幅方向Ｗに伸縮可能に構成されている。ウエストバンド８０は、バンド弾性部材８２によって幅方向に伸縮するように構成されていてもよいし、シート材が伸縮性を有することによって幅方向に伸縮するように構成されていてもよい。ウエストバンド８０は、少なくとも起立部が収縮可能に構成されていればよく、起立部及び基端部の全体が収縮可能に構成されていてもよい。
【００４０】
ウエストバンド８０は、ウエストバンド８０において最も肌面側シート２０側に位置する対向部８３を有する。対向部８３は、肌面側シート２０に当接可能な部分であり、最も肌面側シート２０側に位置するシート材８１を含んだ部分であって、折り目ＦＬを基点に折り返されていない部分によって構成されている。折り目ＦＬは、対向部８３の前端縁に位置する。本実施形態の対向部８３は、折り目ＦＬに対して折り返されていない部分であり、折り目ＦＬよりも後側に位置している。図３において、対向部８３に斜線を付して示す。
【００４１】
対向部８３には、第１基端部８７と、第２基端部８４と、延出部８８と、が設けられている。延出部８８は、第２基端縁から前側に延びる領域である。延出部８８は、左右の第１基端縁間の領域である。延出部８８は、起立部８５の一部を構成する。
【００４２】
図４に示すように、延出部８８と肌面側シート２０とによって挟まれた空間によって、前側に向かって開口する第１ポケットＰ１を形成している。第１ポケットＰ１によって股下域Ｓ３側からウエスト開口６６側へ拡散する排泄物を収容できる。第１ポケットＰ１の後端縁は、第２基端部８４の前端縁８４Ｆであり、第１ポケットＰ１の外側縁は、第１基端部８７の内側縁である。すなわち、第１ポケットＰ１は、第２基端部８４の前端縁８４Ｆと、一対の第１基端部８７の内側縁と、によって囲まれている。第１ポケットＰ１の前端縁は、対向部８３の前端縁８３Ｆとなる。
【００４３】
ウエストバンド８０は、対向部８３に対して折り返された折り返し部８６を有する。折り返し部８６は、折り目ＦＬを基点に肌面側に折り返された部分である。折り返し部８６は、図３において、斜線が付されていないウエストバンドの部分である。図４に示すように、折り返し部８６は、肌面側シート２０から離れる側に折り畳まれており、身体に接する領域となる。延出部８８に対して起立可能な折り返し部８６が設けられていることにより、肌面側シート２０に対してウエストバンドがより立ち上がり易くなり、第１ポケットＰ１による収容空間をより確保し易くなる。なお、変形例に係るウエストバンド８０は、折り返し部８６を有していなくてもよい。
【００４４】
折り返し部８６の少なくとも一部は、肌当接面８９Ａを構成する。肌当接面８９Ａは、ウエストバンドにおいて最も肌面側に位置する面であり、着用者の肌に当接する面である。本実施の形態のウエストバンド８０は、折り返し部８６の全体に肌当接面８９Ａが形成されている。しかし、他の形態において、折り返し部８６の一部が更に肌面側に折られた構成にあっては、更に折られた部分に肌当接面が形成される。
【００４５】
折り返し部８６は、対向部８３の前端縁８３Ｆから後側に延びる。伸長状態において、折り返し部８６の後端縁８６Ｒは、対向部８３の後端縁８３Ｒと一致していてもよいし、対向部８３の後端縁８３Ｒよりも前側であってもよいし、対向部８３の後端縁８３Ｒよりも後側であってもよい。
【００４６】
変形例に係るウエストバンドは、折り返し部８６の後端縁８６Ｒにおいて幅方向Ｗに延びる折り目を基点に、肌面側シート２０から離れる側に折り畳まれていてもよい。折り返し部８６が更に折り畳まれることにより、ウエストバンド８０がより着用者側に起立し、ウエストバンド８０が身体に対してより接しやすくなる。また、変形例においては、対向部８３と肌面側シート２０との間に排泄物を収容するように構成されていてもよいし、折り目ＦＬから後側に延びる折り返し部８６と、更に折り畳まれた折り返し部８６との間に排泄物を収容するように構成されていてもよい。
【００４７】
図２に示すように、折り返し部８６の外側部は、ウエストバンドの折り返されていない部分（対向部８３）に対して接合部９８を介して接合されている。接合部９８は、折り返し部８６の幅方向の両側部に一対で設けられている。一対の接合部９８の間の領域の折り返し部８６は、対向部８３に対して着用者側に起立し、本願発明の起立部８５を構成する。
【００４８】
起立部８５は、対向部８３と折り返し部８６に跨って設けられている。起立部８５の少なくとも一部は、基端部よりも前側の折り目ＦＬにおいて後側に折り返され、基端部に対して肌面側に起立可能に構成されている。折り返し部８６と対向部８３とによってウエスト開口６６側に開口する第２ポケットＰ２を形成する。図４に示すように、着用状態において肌当接面８９Ａが肌に当接した状態で対向部８３が身体から離れると、身体の動きによって第２ポケットＰ２の空間が変形する。例えば、着用者が前屈みの姿勢になった場合など、ウエスト開口６６が着用者の腰部から離れた際に、折り返し部８６と対向部８３の空間が広がり、ウエストバンド８０の起立部８５が身体に追従し易くなる。よって、ウエスト開口６６側への排泄物の漏れを抑制できる。加えて、起立部８５は、基端部から起立可能であり、基端部近傍に排泄物が滲み出した場合であっても排泄物が着用者に到達し難い。よって、排泄物が肌に付着することを抑制できる。
【００４９】
ウエストバンド８０の起立部８５は、幅方向Ｗに伸縮するバンド伸縮領域Ｒ８０を有している。バンド伸縮領域Ｒ８０は、幅方向Ｗに伸縮する領域である。バンド伸縮領域Ｒ８０は、対向部８３と折り返し部８６の両方に設けられてよい。図１及び図２において、バンド伸縮領域Ｒ８０を示す。なお、対向部８３において伸縮する領域と折り返し部８６において伸縮する領域との配置が異なる構成にあっては、いずれか一方において伸縮する領域がバンド伸縮領域Ｒ８０となる。
【００５０】
次いで、図５に基づいて装着時の変形態様について説明する。図５は、図２の断面を基準とした模式断面であり、装着時のフラップ部７０及びウエストバンド８０の変形態様を模式的に示した図である。図５(ａ)は、フラップ部７０が幅方向Ｗの外側に引っ張れていない状態である。ウエストバンド８０のバンド伸縮領域Ｒ８０は、幅方向Ｗに収縮している。図５（ｂ）は、図５（ａ）に示す状態から、フラップ部７０を幅方向Ｗの外側に引っ張った状態である。図５（ｃ）は、図５（ｂ）に示す状態から、フラップ部７０を幅方向の外側に更に引っ張った状態である。なお、説明の便宜上、図５においては、ウエストバンド８０、フラップ部７０及び肌面側シート２０のみを図示し、その他の部材については省略する。
【００５１】
フラップ部７０の少なくとも一部は、厚さ方向Ｔにおいて肌面側シート２０とウエストバンド８０の間に配置されている。テープ型の使い捨ておむつ１０を装着する際は、後胴回り域Ｓ２に着用者の背中を載せた状態で、着用者の股間に対して股下域Ｓ３を当てるとともに、前胴回り域Ｓ１によって着用者の腹部を覆う。そして、装着補助者は、フラップ部７０の係止部７３をターゲット部９５に止着するために、フラップ部７０を幅方向Ｗの外側に引っ張る。使い捨ておむつの幅方向の中央に着用者の体圧がかかっており、フラップ部７０が幅方向の外側に引っ張られると、図５（ｂ）に示すように、バンド伸縮領域Ｒ８０よりも先にフラップ伸縮領域７６が幅方向に伸長し易い。
【００５２】
このとき、フラップ部７０の少なくとも一部が厚さ方向Ｔにおいて肌面側シート２０とウエストバンド８０の間に配置されているため、フラップ部７０とウエストバンド８０が連動し易い。フラップ伸縮領域７６の伸長に伴ってウエストバンド８０も幅方向に引っ張られ、バンド伸縮領域Ｒ８０も伸長し、ウエストバンド８０の身体に対するフィット性が向上する。なお、フラップ部７０は、厚さ方向において肌面側シート２０とウエストバンド８０の間に配置されていればよく、肌面側シート２０とウエストバンド８０の間に、フラップ部７０以外の部材が配置されていてもよい。
【００５３】
ウエストバンド８０の外側縁８０Ｅは、平面視にて、接合領域７５と重なる領域に配置されている。装着補助者が装着時にフラップ部７０を幅方向Ｗに引っ張るため、フラップ部７０のフラップ伸縮領域７６が伸長された状態で身体に当たり易い。このとき、図５（ｃ）に示すように、フラップ伸縮領域７６は、伸長によって着用者側に引き上がり、接合領域７５は、吸収性本体１１等に接合されているため、着用者側に引き上がり難い。ウエストバンド８０の外側縁８０Ｅは、接合領域７５重なる領域に配置されているため、フラップ部７０が伸長した状態で、着用者側に押し当てられにくく、ウエストバンド８０の外側縁８０Ｅが身体に当たることによる不快感を抑制できる。また、フラップ伸縮領域７６によって着用者の脇に対するフィット性を向上できる。よって、ウエストバンド８０の外側縁８０Ｅが身体に当たることによる不快感を抑制しつつウエストバンド８０のフィット性を向上させ、ウエストバンドを腰部にフィットさせ続けることができる。なお、ウエストバンド８０の外側縁８０Ｅの前後方向における全域が、接合領域７５に重なっていてもよいし、ウエストバンド８０の外側縁８０Ｅの前後方向における一部が、接合領域７５に重なっていてもよい。
【００５４】
図１に示すように、接合領域７５には、熱溶着による溶着部７７が形成されてよい。溶着部７７は、フラップ部７０と肌面側シート２０を接合している。ウエストバンド８０は、溶着部７７と重ならない領域に配置されてよい。熱溶着による溶着部７７は、接着剤による接合と比較して、接合面のみならずフラップ部７０の厚さ方向Ｔの全体に形成されやすい。そのため、フラップ部７０の溶着部７７とウエストバンド８０が重なると、ウエストバンド８０に硬さが伝わり、違和感が生じるおそれがある。ウエストバンド８０は、溶着部７７と重ならない領域に配置されているため、仮に溶着部７７によって接合領域７５が硬くなったとしても、ウエストバンド８０の違和感を抑制できる。
【００５５】
なお、接合領域７５は、溶着部７７のみによって形成されていてもよいし、接着剤と溶着部７７とによって形成されていてもよい。接合領域７５が接着剤と溶着部７７とによって形成された構成にあっては、接着剤のみによる接合領域がウエストバンド８０に重なり、溶着部７７による接合領域がウエストバンド８０に重なってなくてよい。
【００５６】
バンド伸縮領域Ｒ８０の伸長応力は、フラップ伸縮領域７６の伸長応力よりも低くてよい。すなわち、バンド伸縮領域Ｒ８０がフラップ伸縮領域７６よりも伸長し易い。装着補助者がフラップ部７０を引っ張った際に、先にバンド伸縮領域が伸長し、ウエストバンド８０が身体に対してフィットし易くなる。また、フラップ部は、ウエストバンドよりも伸長し難く、着用者の脇に対して過剰な圧力がかかることを防ぐことができる。ウエストバンドの外側縁は、着用者の脇に対応する領域に位置しており、当該外側縁が身体に当たることの不快感をより抑制できる。
【００５７】
なお、バンド伸縮領域Ｒ８０及びフラップ伸縮領域７６の伸長応力の測定には、（株）島津製作所製のオートグラフ型引張試験機（例えば、ＡＧ−１ＫＮ１）を用いた。まず、使い捨ておむつ１０の後胴回り域Ｓ２をその表面に各バンド弾性部材８２の収縮作用によるギャザーがなくなる程度にまで伸長させた状態で、バンド伸縮領域Ｒ８０の幅方向の寸法を測定した後、カッターによって、バンド伸縮領域Ｒ８０を、その寸法で切断する。バンド弾性部材８２を含むようにバンド伸縮領域Ｒ８０を切り取って試料とした。また、使い捨ておむつ１０のフラップ部７０を、その表面にフラップ伸縮領域７６の収縮作用によるギャザーがなくなる程度にまで伸長させた状態で、フラップ伸縮領域７６の幅方向の寸法を測定した後、カッターによって、フラップ伸縮領域７６を、その寸法で切断さし、試料とした。次に、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで各試料を収縮させたときの引張荷重（Ｎ）を求めて、単位幅（ｍｍ）当たりの応力（Ｎ／ｍｍ）に換算して伸長応力とした。
【００５８】
バンド伸縮領域Ｒ８０は、フラップ部７０と重ならない領域に配置されてよい。バンド伸縮領域Ｒ８０の外側縁は、フラップ部７０の内側縁７０Ｉよりも幅方向Ｗの内側に位置してよい。バンド伸縮領域Ｒ８０は、ウエストバンド８０において幅方向に伸縮しない領域と比較して伸縮時に硬くなり易い。フラップ部７０に重なる領域にバンド伸縮領域Ｒ８０が配置されていないため、バンド伸縮領域Ｒ８０によって硬くなった部分がフラップ部７０によって身体に押し当てられることを抑制し、違和感を抑制できる。また、バンド伸縮領域Ｒ８０に配置される弾性部材の端縁が身体に当たりにくくなり、当該弾性部材の端縁の硬さによる不快感を抑制できる。
【００５９】
また、本実施の形態のように、バンド伸縮領域Ｒ８０に糸状又は帯状の弾性部材が接着剤によって固定されている形態においては、当該接着剤の硬化によってバンド伸縮領域Ｒ８０が硬くなり易い。当該構成によっては、フラップ部７０に重なる領域にバンド伸縮領域Ｒ８０が配置されていないことにより、違和感をより抑制できる。
【００６０】
図１に示すように、ウエストバンド８０の後端縁８０Ｒは、フラップ伸縮領域７６の後端縁７６Ｒよりも前側に位置し、ウエストバンド８０の前端縁８０Ｆは、フラップ伸縮領域７６の前端縁７６Ｆよりも後側に位置してよい。すなわち、フラップ伸縮領域７６の前後方向の範囲内にウエストバンド８０が配置されてよい。このような構成によれば、フラップ部７０を引っ張った際に、フラップ伸縮領域７６を介してウエストバンド８０の前後方向の全域に幅方向に引っ張る力をかけやすい。よって、幅方向に引っ張る力が小さい場合であっても、ウエストバンド８０とフラップ部７０を伸長させ、身体に対してウエストバンド８０をフィットさせやすくなる。
【００６１】
また、ウエストバンド８０の前後方向Ｌの外側にフラップ部７０が延出するため、ウエストバンド８０とフラップ部７０とが重なる領域とウエストバンド８０とフラップ部７０とが重ならない領域とは、ウエストバンドの前後方向の範囲内において前後方向に隣接しない。そのため、ウエストバンドの前後方向の範囲内において、使い捨ておむつの厚みが一定になり易い。ウエストバンド内において厚み差が生じることに起因してウエストバンドの外側縁が身体に当たることの不快感を抑制できる。
【００６２】
次いで、図６に基づいて第２実施形態に係る使い捨ておむつ１０Ｘについて説明する。第２実施形態に係る使い捨ておむつ１０Ｘは、ウエストバンド８０Ｘの構成が第１実施形態の使い捨ておむつ１０と異なる。なお、以下の第２実施形態の説明において、第１実施形態と同様の構成については、同符号を用いて説明を省略する。
【００６３】
第２実施形態に係るウエストバンド８０は、バンド伸縮領域Ｒ８０を有している。バンド伸縮領域Ｒ８０は、フラップ部７０と重なる領域に配置されてよい。本態様によれば、フラップ部７０を引っ張った際に、バンド伸縮領域Ｒ８０が伸長し易く、ウエストバンド８０の身体に対するフィット性を向上できる。なお、バンド弾性部材８２は、ウエストバンド８０の外側縁まで到達し、バンド伸縮領域Ｒ８０は、ウエストバンド８０の外側縁まで到達していてもよい。
【００６４】
ウエストバンド８０の外側縁には、幅方向の外側に突出する凸部ＰＰと、凸部ＰＰよりも幅方向に凹む凹部ＲＰと、が前後方向Ｌに交互に配置されてよい。凸部ＰＰ及び凹部ＲＰは、少なくともいずれか一方が複数形成されていればよく、好適には、凸部ＰＰ及び凹部ＲＰの両方が複数形成されていてよい。また、ウエストバンド８０を構成するシート材８１が、伸長状態で凸部ＰＰ及び凹部ＲＰを有する形状であってもよいし、ウエストバンド８０を構成するシート材８１が伸長状態に直線状であるが、バンド弾性部材８２の収縮によって、自然状態で凸部及び凹部を有する形状であってもよい。また、凹部及び凸部を有する外側縁は、図６に示すように曲線状の波形状であってもよいし、変形例として直接状の凸凹の組み合わせからなる形状であってもよい。
【００６５】
ウエストバンドの外側縁８０Ｅに、凹部ＲＰ及び凸部ＰＰが前後方向Ｌに交互に設けられていることにより、ウエストバンド８０の外側縁８０Ｅが直線状に形成されない。ウエストバンド８０の外側縁８０Ｅが身体に当たった際の接触面積を低減でき、ウエストバンド８０の外側縁８０Ｅが身体に当たることによる不快感をより抑制できる。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６７】
本発明によれば、ウエストバンドの外側縁が身体に当たることによる不快感を抑制しつつウエストバンドのフィット性を向上できる使い捨ておむつを提供できる。
【符号の説明】
【００６８】
１０、１０Ｘ        ：使い捨ておむつ
１１        ：吸収性本体
２０        ：肌面側シート
３１        ：吸収コア
３１Ｃ      ：括れ部
７０        ：フラップ部
７５        ：接合領域
７６        ：フラップ伸縮領域
７７        ：溶着部
８０、８０Ｘ        ：ウエストバンド
８０Ｅ      ：ウエストバンドの外側縁
８０Ｆ      ：ウエストバンドの前端縁
８０Ｒ      ：ウエストバンドの後端縁
８４        ：第２基端部（基端部）
８５        ：起立部
８６        ：折り返し部
８７        ：第１基端部（基端部）
ＦＬ        ：折り目
ＲＰ        ：凹部
ＰＰ        ：凸部
Ｐ１        ：第１ポケット
Ｐ２        ：第２ポケット
Ｓ１        ：前胴回り域
Ｓ２        ：後胴回り域
Ｓ３        ：股下域
Ｒ８０      ：バンド伸縮領域
Ｔ          ：厚さ方向
Ｔ１        ：肌面側
Ｔ２        ：非肌面側
Ｌ          ：前後方向
Ｗ          ：幅方向
【図１】
2020089672.tif 000003
【図２】
2020089672.tif 000004
【図３】
2020089672.tif 000005
【図４】
2020089672.tif 000006
【図５】
2020089672.tif 000007
【図６】
2020089672.tif 000008